(57)【要約】【課題】ゴルファーの手を煩わすことなく、設定したホール位置を実用に耐え得る精度で検出して、ゴルファーに伝えることが可能なホール位置検出システムを提供する。【解決手段】予め装置本体１１が取り付けられたホールカッターを使用して、グリーンキーパーがグリーン上の任意の位置でホールを開けると、装置本体１１に設けられた制御部２２が受信モジュール２１からの測位データを取り込んで、ホールの位置を自動的に算出し、その位置情報を通信部２３から外部機器１００に送出する。受信モジュール２１は、航法衛星ＳＱからの航法信号に加えて、準天頂衛星ＳＮからの補強信号に対応した受信が可能で、受信モジュール２１の位置を特定する測位データの測位精度を、数センチメートル程度の誤差に大幅に向上させて制御部２２に送出できる。【選択図】図３
2020185117.tif 000002
【特許請求の範囲】
【請求項１】
ゴルフ場のグリーンにホールを開けるためのホールカッターに取り付けられる装置本体と、
前記装置本体に設けられ、準天頂衛星からの補強信号と航法衛星からの航法信号とを受信して、前記航法信号により特定された位置を前記補強信号で補正処理した測位データを出力する受信モジュールと、
前記装置本体に設けられ、当該装置本体から外部機器への情報送信を可能とする通信部と、
前記装置本体に設けられ、前記受信モジュールからの測位データを取り込んで、前記ホールの位置となる位置情報を前記通信部に送出する制御部と、を備えたことを特徴とするホール位置検出システム。
【請求項２】
前記外部機器に組み込まれ、前記通信部からの前記位置情報を取り込んで、前記外部機器の表示部に前記ホールの位置を表示させる端末制御部をさらに備えたことを特徴とする請求項１記載のホール位置検出システム。
【発明の詳細な説明】
【技術分野】
【０００１】
本発明は、ゴルフ場のグリーンの適所に穿設されたホールの位置を精度良く検出するホール位置検出装置に関する。
【背景技術】
【０００２】
ゴルフ場のコースを構成する各ホールでは、カップの位置となるグリーン上のピン（旗）位置が個々に設定される。ピン位置は基本的に毎日、グリーンキーパーがホールカッターでグリーンにホール（穴）を開けて、そこに凹状のカップを設置することで、その日の位置を決定しており、ピン位置次第でホールの難易度が大きく変わってしまう。そのため、ゴルファーがプレイの戦略を立てる上で、ピン位置を決める基準となるホール位置は、非常に大切なポイントとなっている。
【０００３】
従来、ピン位置（ホール位置）をプレイ前のゴルファーに伝えるには、グリーンキーパーがピン位置をメモして、それを管理サーバの画面上で手入力する作業が行なわれていた。この場合、手入力された内容を、通信手段によりゴルフカートに取付けたナビゲーション端末や、ゴルファーが保有する携帯端末（主にスマートフォン）にピン位置情報として配信し、これらの端末に備えた表示器でピン位置を表示していた。
【０００４】
また、このような手入力に代わって、グリーン上のカップ位置に装置を移動し、タッチ操作によりカップ位置の地点登録を行なうと、ＧＰＳ（Global Positioning System）受信部から取得した現在位置をバッファメモリに登録して、プレイ中にそのカップ位置を旗アイコンで表示させる考えが提案されている（特許文献１を参照）。
【先行技術文献】
【特許文献】
【０００５】
【特許文献１】特開２０１１−２１２４１９号公報
【発明の概要】
【発明が解決しようとする課題】
【０００６】
しかし、上述した手入力での作業は煩雑である上に、入力の際に人為的なエラーが発生する可能性があり、問題であった。また、手入力を省くために、特許文献１に示すようなＧＰＳ受信部でカップ位置を取得して、その情報を何らかの通信手段で管理サーバ側に伝達することも可能であるが、ＧＰＳ受信部の測位精度は誤差が数メートル程度で低く、カップ位置を正確に検出して表示させることができず、実用に耐えられなかった。さらに特許文献１では、グリーンキーパーがホール（穴）にカップを設置した後に、ゴルファーがカップの近くにまでわざわざ装置を持って行って、タッチ操作でカップ位置の地点登録を行わなければならず、端末を保有するゴルファーの負担も大きかった。
【０００７】
そこで本発明は、ゴルファーの手を煩わすことなく、設定したホール位置を実用に耐え得る精度で検出して、ゴルファーに伝えることが可能なホール位置検出システムを提供することを目的とする。
【課題を解決するための手段】
【０００８】
本発明のホール位置検出システムは、上記目的を達成するために、ゴルフ場のグリーンにホールを開けるためのホールカッターに取り付けられる装置本体と、前記装置本体に設けられ、準天頂衛星からの補強信号と航法衛星からの航法信号とを受信して、前記航法信号により特定された位置を前記補強信号で補正処理した測位データを出力する受信モジュールと、前記装置本体に設けられ、当該装置本体から外部機器への情報送信を可能とする通信部と、前記装置本体に設けられ、前記受信モジュールからの測位データを取り込んで、前記ホールの位置となる位置情報を前記通信部に送出する制御部と、を備えたことを特徴とする。
【０００９】
また本発明のホール位置検出システムは、前記外部機器に組み込まれ、前記通信部からの前記位置情報を取り込んで、前記外部機器の表示部に前記ホールの位置を表示させる端末制御部をさらに備えたことを特徴とする。
【発明の効果】
【００１０】
請求項１の発明によれば、予め装置本体が取り付けられたホールカッターを使用して、グリーンキーパーがグリーン上の任意の位置で、ピンを立てるカップを設置するためのホールを開けると、装置本体に設けられた制御部が受信モジュールからの測位データを取り込んで、ホールの位置を自動的に算出し、その位置情報を通信部から外部機器に送出する。このとき受信モジュールは、航法衛星からの航法信号に加えて、準天頂衛星からの補強信号に対応した受信が可能で、受信モジュールの位置を特定する測位データの測位精度を、数センチメートル程度の誤差に大幅に向上させて制御部に送出できるので、ゴルファーの手を煩わすことなく、設定したホール位置を実用に耐え得る精度で検出して、外部機器からゴルファーに伝えることが可能となる。
【００１１】
請求項２の発明によれば、ゴルファーが利用する外部機器に予め端末制御部を組み込んでおけば、ホールカッターで開けられたホールの位置を、複数の外部機器の表示部に共有して表示させることが可能となる。
【図面の簡単な説明】
【００１２】
【図１】本発明の一実施形態のホール位置検出システムについて、装置本体が取り付けられるホールカッターの全体斜視図である。
【図２】同、装置本体をホールカッターに装着した状態の斜視図である。
【図３】同、装置本体内部の電気的構成を示すブロック図である。
【図４】同、通信手段に接続する外部機器の一形態を示す図である。
【図５】同、通信手段に接続する外部機器の別な形態を示す図である。
【図６】同、通信手段に接続する外部機器のさらに別な形態を示す図である。
【図７】同、外部機器の主な電気的構成を示すブロック図である。
【図８】同、端末機器の表示器に表示される画面の一例を示す図である。
【発明を実施するための形態】
【００１３】
以下、本発明におけるホール位置検出システムの好ましい実施形態について、添付図面を参照しながら説明する。
【００１４】
図１は、ゴルフ場でハウスキーパーが使用するホールカッター１の全体概要を示している。ホールカッター１は、下端に切削刃（図示せず）を有する円筒状の筒部２と、筒部２の中心軸線上に設けられ、筒部２と共に回動する回動軸３と、回動軸３の上端に設けられる左右一対の手動ハンドル４，４と、により構成される。ここでは、芝生が敷設されたグリーンＧの任意の位置に、筒部２の下端を接地した状態でホールカッター１が使用され、手動ハンドル４，４を両手で把持し、回転軸３と共に筒部２を手動で押し下げながら左右に回転させることで、切削刃がグリーンＧを筒部２の外形形状に沿って切削して、グリーンＧに凹状の穴となるホールＨを穿設するようになっている。
【００１５】
回動軸３と手動ハンドル４，４は、ホールカッター１の切削部となる筒部２に回転力を与える駆動部に相当する。代わりに、駆動部として減速機構付きのモータを回転軸３に取り付けた構成としてもよい。この場合、モータに所定の電力を供給することで、筒部２を電動で左右に回転させることができる。
【００１６】
背景技術でも説明したように、ゴルフ場の各ホールでは、グリーンキーパーがホールカッター１でグリーンＧにホールＨを開け、そこにカップ（図示せず）を挿入設置することで、ホールＨの位置に一致するピン位置が設定される。カップは平面視が円形で有底凹状の金属部材からなり、どのホールでも同じ形状のカップが設置される。各ホールのピン位置は、その日の状況に応じて、若しくは決められたローテーションに従って、ゴルフ場側で変更しているが、本実施形態ではホールカッター１でグリーンＧにホールＨを開ける際に、後述する受信モジュール２１（図３を参照）がホールＨの中心位置に一致して配置されるように、装置本体１１の内部で位置決めされる。
【００１７】
図２は、ホール位置検出システムを構成する位置測定用の装置本体１１を、ホールカッター１に取り付けた状態を示している。同図において、装置本体１１は筒部２の中心直上に位置して回転軸３の上端に配設される。装置本体１１の上面には、押動操作される測定開始ボタン１２が、装置本体１１による測定開始を指示するための測定開始指示手段として露出して配設される。
【００１８】
図３は、装置本体１１に配設した各部の電気的構成を示したものである。同図において、装置本体１１の内部には、受信モジュール２１と、制御部２２と、通信部２３と、バッテリー２４がそれぞれ組み込まれる。また受信モジュール２１は、電波を捕捉する受信アンテナ３１や、受信モジュール２１の制御部となるＡＳＩＣ（Application Specific Integrated Circuit、特定用途向け集積回路）３２を含んで構成される。電源部となるバッテリー２４は、装置本体１１の各部、具体的には制御部２２や通信部２３の他に、受信モジュール２１のＡＳＩＣ３２に、所望の動作電圧を供給するものであり、例えば電池（一次電池や二次電池）と電源回路の組み合わせにより構成される。
【００１９】
ＡＳＩＣ３２は、ソフトウエア上の機能構成として、受信モジュール３１の位置を示す測位データを算出する測位データ生成手段３３を備えている。測位データ生成手段３３は、受信アンテナ３１で捉えた４つ以上の航法衛星ＳＮからの航法信号と、１つ以上の準天頂衛星ＳＱからの補強信号とをそれぞれ取り込んで、受信モジュール２がどの時刻にどの位置にあるのかを航法信号で特定し、この特定した位置を補強信号で補正処理することで、測位精度を数センチメートル程度の誤差に向上させた測位データを算出する構成となっている。
【００２０】
なお現時点において、航法衛星ＳＮは各国が打ち上げたＧＰＳ（Global Positioning System）、ＧＬＯＮＡＳＳ（Global Navigation Satellite System）、ガリレオ、北斗などの人工衛星を指し、準天頂衛星ＳＱは日本が打ち上げた人工衛星「みちびき」を指す。将来的には、それ以外の航法衛星ＳＮや準天頂衛星ＳＱを含んでもよい。また、補強信号は人工衛星「みちびき」が発するＬ６信号、すなわちセンチメーター級測位補強信号を指す。航法信号は周知のように、航法衛星ＳＮに搭載された原子時計を使用して、航法衛星ＳＮの軌道に基づき生成される測位信号である。
【００２１】
制御部２２は、ソフトウエア上の機能構成として、測位データ生成手段３３で生成出力される測位データに基づいて、受信モジュール２１の位置に一致するホールＨの位置情報を生成して、これを通信部２３に送出するホール位置情報生成手段４１を備えている。ホール位置情報生成手段４１は、測定開始ボタン１２からの操作信号を受けて、測位データ生成手段３３からの測位データの取込みを開始し、測位データそのものをピン位置の情報（緯度、経度）として、若しくは測位データからピン位置の情報を算出して、通信部２３に送出する構成を備えている。
【００２２】
また制御部２２は、ホール位置情報生成手段４１で生成されたホールＨの位置情報を記憶する記憶手段４２を好ましくは備える。これによりホール位置情報生成手段４１は、ホールＨの位置情報をすぐに通信部２３に送出するのではなく、記憶手段４２に一旦記憶させてから、後で装置本体１１とは別体の外部機器１００が通信部２３と接続されたときに、それまで記憶手段４２に記憶保持させていたホールＨの位置情報を、通信部２３を介して外部機器１００に送出できる。
【００２３】
通信部２３は、ホール位置情報生成手段４１から送り出されたホールＨの位置情報を、ゴルフ場でプレイする複数のゴルファーに伝えるために、適切な外部機器１００に送出するものである。外部機器１００の具体的な構成については、次に詳しく説明する。
【００２４】
図４〜図６は、外部機器１００の具体的な形態を示したものである。これらの各図に共通して、１１１は装置本体１１の測定対象となるゴルフ場の各ホールの地図情報を記憶手段１１２（図７を参照）に保有する管理サーバ、１２１ａはゴルファーが携帯するスマートフォンやタブレット端末などの携帯端末、１２１ｂはゴルフ場内を走行するゴルフカート（図示せず）に搭載可能なナビゲーション端末である。管理サーバ１１１と携帯端末１２１ａとの間は、例えばインターネット１３１を経由して、また管理サーバ１１１とナビゲーション端末１２１ｂとの間は、例えばＵＨＦ無線回線１３２を経由して、相互にデータや情報のやり取りが行なえるようになっている。通信部２３に接続する外部機器１００は様々な形態を有するが、どの形態であっても、最終的にはゴルファーがホールＨの位置情報を取得するために、携帯端末１２１ａやナビゲーション端末１２１ｂなどの端末、すなわち端末機器１２１を終端に備える。なお、管理サーバ１１１には表示器を備えた何台の端末機器１２１が接続されてもよく、携帯端末１２１ａやナビゲーション端末１２１ｂ以外の端末機器１２１を用いてもよい。
【００２５】
図４に示す外部機器１００は、装置本体１１の通信部２３とインターネット１３１とを接続する接続手段として、例えば携帯電話網１４１が用いられる。この場合、携帯電話網１４１などを使用して装置本体１１の通信部２３とインターネット１３１とを接続し、ホール位置情報生成手段４１で生成されたホールＨの位置情報を、記憶手段４２に記憶することなく通信部２３から携帯電話網１４１とインターネット１３１を順に経由して、管理サーバ１１１にアップロードすることができる。ここでは、携帯電話網１４１以外の接続手段を利用してもよい。また、記憶手段４２にホールＨの位置情報を一旦記憶させた後に、装置本体１１を別な場所に移動して通信部２３と携帯電話網１４１との通信を確立させ、記憶手段４２に記憶されているホールＨの位置情報を、上述の経路で管理サーバ１１１にアップロードさせてもよい。
【００２６】
図５に示す外部機器１００は、記憶手段４２に記憶したホールＨの位置情報を取り出す情報取得機器として、例えばパーソナルコンピュータ１５１が用いられる。この場合、各ホールのグリーンＧでホールＨの位置を測定した後に、装置本体１１を別な場所に移動させ、例えばBluetooth（登録商標）のような近距離無線通信を利用して、装置本体１１の通信部２３とパーソナルコンピュータ１５１とを無線で接続し、記憶手段４２に記憶されているホールＨの位置情報をパーソナルコンピュータ１５１に転送する。この後、パーソナルコンピュータ１５１を管理サーバ１１１と接続することで、パーソナルコンピュータ１５１から管理サーバ１１１にホールＨの位置情報をアップロードできる。ここでは、パーソナルコンピュータ１５１以外の情報取得機器を利用してもよい。
【００２７】
図６に示す外部機器１００は、装置本体１１の通信部２３とインターネット１３１との間に接続する情報転送機器として、例えばハンディ端末（主にスマートフォン）１６１が用いられる。この場合、例えばBluetoothのような近距離無線通信を利用して、装置本体１１の通信部２３とハンディ端末１６１とを無線で接続し、ホール位置情報生成手段４１で生成されたホールＨの位置情報を、記憶手段４２に記憶することなく通信部２３を介してハンディ端末１６１に転送し、ハンディ端末１６１からインターネット１３１を経由して、管理サーバ１１１にアップロードすることができる。ここでは、ハンディ端末１６１以外の情報転送機器を利用してもよい。また、記憶手段４２にホールＨの位置情報を一旦記憶させた後に、装置本体１１を別な場所に移動して通信部２３とハンディ端末１６１との通信を確立させ、記憶手段４２に記憶されているホールＨの位置情報を、上述の経路で管理サーバ１１１にアップロードさせてもよい。
【００２８】
図４〜図６に共通して、管理サーバ１１１は装置本体１１の通信部２３から送出されるホールＨの位置情報をアップロードして取り込むと、これを記憶手段１１２の地図情報とは別な記憶領域に保存する。ゴルファーが普段から携帯する携帯端末１２１ａや、ゴルファーが利用するゴルフカートに設置したナビゲーション端末１２１ｂには、管理サーバ１１１にアクセスできる専用のアプリケーションが予めダウンロードされており、このアプリケーションを立ち上げて、自分がプレイを行なうゴルフ場の中で、表示させたいホールを管理サーバ１１１に指示すると、管理サーバ１１１は指示されたホールの地図情報と、その地図情報内に位置するホールＨの位置情報とを管理サーバ１１１の記憶手段１１２から取得して、指示されたホールの地図情報にホールＨの位置を重ね合わせた表示用データを、指示された携帯端末１２１ａやナビゲーション端末１２１ｂに送出する。これにより、携帯端末１２１ａやナビゲーション端末１２１ｂの表示器１２７（図７を参照）には、指示したホールの地図情報にホールＨの位置を重ね合わせた表示が行われるように構成される。
【００２９】
また、図５や図６では、何れも通信部２３に組み込まれた無線通信インターフェースなどの無線接続手段（図示せず）を介して、管理サーバ１１１にピン位置の情報を転送する通信端末としてのパーソナルコンピュータ１５１やハンディ端末１６１と無線通信を確立する構成となっているが、代わりに通信部２３に有線接続手段としての例えばＵＳＢ（Universal Serial Bus）ソケットを組み込み、このＵＳＢソケットを利用して通信部２３と通信端末との間をＵＳＢケーブルで接続して、有線通信を確立する構成としてもよい。
【００３０】
図７は、外部機器１００の主な電気的構成を示したものである。同図において、ホール位置検出システムのセンター装置となる管理サーバ１１１は、記憶手段１１２を有する制御部１１３を主な構成要素とする。管理サーバ１１の制御部１１３や、前述した装置本体１１の制御部２２は、何れもＣＰＵ（中央処理装置）やメモリや入出力インターフェースなどを備えたマイクロコンピュータで構成される。記憶手段１１２は、前述の地図情報を記憶する地図情報記憶手段１１５と、装置本体１１で測位したホールＨの位置情報を記憶するホール位置情報記憶手段１１６と、をそれぞれ備える。
【００３１】
装置本体１１の通信部２３と管理サーバ１１１の制御部１１３との間には、双方向の通信を可能にする接続部２０１が設けられる。図４に示すインターネット１３１及び携帯電話網１４１や、図５に示すパーソナルコンピュータ１５１や、図６に示すインターネット１３１及びハンディ端末１６１は、接続部２０１に相当する。同様に、管理サーバ１１１の制御部１１３と端末機器１２１の制御部１２２との間には、双方向の通信を可能にする接続部２１１が設けられる。図４〜６に示すインターネット１３１及び無線回線１３２は、接続部２１１に相当する。
【００３２】
制御部１１３は、ソフトウエア上の機能構成として、装置本体１１の通信部２３から接続部２０１を介してホールＨの位置情報を取り込むと、自動的にそれがどのゴルフ場のどのコース（ホール）のどのグリーンＧに位置するのかを、地図情報記憶手段１１５に記憶する地図情報の中から判別して特定し、その特定した地図情報と関連付けて、取り込んだホールＨの位置情報をホール位置情報記憶手段１１６に記憶させるホール位置情報関連付け手段１１７を備えている。ホール位置情報関連付け手段１１７は、端末機器１２１からの指示を受けて、当該端末機器１２１で表示させたいホールの地図情報を、地図情報記憶手段１１５に記憶する地図情報の中から抽出し、その抽出した地図情報そのものと、抽出した地図情報に関連付けられた特定のホールＨの位置情報を、指示を受けた端末機器１２１の制御部１２２に送出する構成を備えている。
【００３３】
端末機器１２１は共通の構成として、記憶手段１２３を有する制御部１２２の他に、操作部１２５と、測位装置１２６と、表示部となる表示器１２７と、を備える。操作部１２５は、押動操作が可能なキーやボタンの他に、表示器１２７の表面に設けられるタッチパネルとすることができる。測位装置１２６は、端末機器１２１の位置を検出する位置検出部に相当し、前述の受信モジュール２１と同等の機能を有する。表示器１２７は、端末機器１２１の本体表面側に設けた液晶ディスプレイで構成される。
【００３４】
端末機器１２１の制御部１２２は、ＣＰＵやメモリや入出力インターフェースなどを備えたマイクロコンピュータで構成され、記憶手段１２３にダウンロードで保存されたアプリケーションのプログラムを読み取ることで、表示器１２７による表示を制御する表示制御手段１２８として制御部１２２を機能させる構成となっている。表示制御手段１２８は、操作部１２５からの操作信号や、測位装置１２６からの測位データを受けて、どのゴルフ場のどのコース（ホール）を表示させたいのかを特定すると、その表示させたいホールの情報を管理サーバ１１１に指示し、これを受けて管理サーバ１１１のホール位置情報関連付け手段１１８から、指示したホールの地図情報と、その地図情報に関連付けられたホールＨの位置情報が送られてくると、指示したホールの地図情報にホールＨの位置を重ね合わせた画面を、端末機器１２１の表示器１２７に表示させる構成を備えている。
【００３５】
次に上記構成について、図８や図７を参照しながらその作用を説明する。先ず、装置本体１１を利用してホールＨの位置を測定する手順から説明すると、ゴルフ場の各ホールでは、グリーンキーパーがその日のピン位置を設定するために、グリーンＧ上で目標となるピン位置に合せてホールＨを開け、そのホールＨにピンを立てるためのカップを挿入設置する。
【００３６】
この一連の作業では、図２に示すように、予めホールカッター１の上部に装置本体１１を装着し、装置本体１１の図示しない電源スイッチをオンにして、バッテリー２３から装置本体１１の各部への通電を開始させておく。これにより、受信モジュール２１や制御部２２がそれぞれ起動し、受信モジュール２１による航法衛星ＳＮや準天頂衛星ＳＱからの電波の受信が開始する。受信モジュール２１は、所定数（例えば４つ）の別な位置にある航法衛星ＳＮからの航法信号を受信アンテナ３１で捕捉することにより、受信モジュール２１がどの時刻にどの位置にあるのかを測位データ生成手段３３で測位し、さらに少なくとも１つの準天頂衛星ＳＱからの補強信号を受信アンテナ３１で捕捉することにより、所定数の航法信号から測位した位置を測位データ生成手段３３で補正処理する。こうして受信モジュール２１の測位データ生成手段３３で補正処理された測位データは、実際のピン位置に対して数センチメートル程度の誤差に留まり、制御部２２に送出される。
【００３７】
一方、グリーンキーパーはホールカッター１の手動ハンドル４，４を両手で把持しながら、目標となるピン位置に筒部２の中心軸を合わせて、手動ハンドル４，４からの力で筒部２を押し下げながら左右に回転させる。すると、筒部２の下端に位置する切削刃が、グリーンＧを筒部２の外形形状に沿って切削し、グリーンＧに凹状のホールＨが形成される。
【００３８】
ホールカッター１の筒部２が地中のホールＨに差し込まれた状態で、装置本体１１の測定開始ボタン１２を押動操作すると、制御部２２のホール位置情報生成手段４１は、測位データ生成手段３３からの測位データの取込みを開始する。このときホール位置情報生成手段４１は、短時間でのデータ送出を実現するために、測位データ生成手段３３から取込んだ１回の測位データを、そのままホールＨの中心の位置情報として通信部２３に送出してもよいし、或いは測位精度をさらに向上させるために、測位データ生成手段３３からの測位データを複数回取込み、その測位データの平均値をホールＨの中心の位置情報として通信部２３に送出してもよい。何れにせよホール位置情報生成手段４１は、外部機器１００に対する必要以上の送信を避けるために、ホールＨの位置情報を通信部２３に一旦送出すると、次に測定開始ボタン１２が再び押動操作されるまで、測位データ生成手段３３からの測位データの取込みを停止する。こうして、一つのホールでのホールＨの位置情報が、通信部２３を介して遠隔の管理サーバ１１１に送出され、装置本体１１を利用したホールＨの中心位置の測定が終了する。
【００３９】
なお、１つのゴルフ場では通常、複数のホール数を有してコースが造成されているので、上述したピン位置の設定と装置本体１１によるホールＨの中心位置の測定は、ホール毎に繰り返し行なわれ、ホールＨの位置情報が管理サーバ１１１にその都度送出される。また、制御部２２の記憶手段４２に、ホールＨの位置情報を記憶する領域が設けられている場合には、各ホールでホールＨの中心位置の測定を行なう毎に、そのホールＨの位置情報を管理サーバ１１１に送出することなく記憶手段４２に一旦記憶させ、全てのホールでピン位置の設定と装置本体１１によるホールＨの中心位置の測定が終了したら、それまで記憶手段４２に記憶されていた全てのホールＨの位置情報を、管理サーバ１１１に一括で送出してもよい。この場合、各ホールでのピン位置を測定開始する際には、例えば測定開始ボタン１２を短い時間押動操作し、全ホールのピン位置情報を管理サーバ１１１に送出する際には、例えば測定開始ボタン１２をそれよりも長い時間押動操作するなどして、操作の仕方を変えることで、一つの共通する操作部である測定開始ボタン１２を利用して、別々の指示を行なうことが可能になる。
【００４０】
また変形例として、ホールカッター１の加速度を検出する加速度センサを、制御部２２と電気的に接続するように装置本体１１に配設し、測定開始ボタン１２を押動操作した後に、手動ハンドル４，４からの力で筒部２を押し下げながら左右に回転させたときに発生する加速度が、加速度センサで検出されたと判断したら、ホール位置情報生成手段４１が受信モジュール２１からの測位データを取り込んで、ホールＨの位置情報を生成し始めてもよい。これにより、測定開始ボタン１２を不意に押したときに、ホールＨの位置情報が勝手に生成されるのを防ぐことができる。
【００４１】
図８は、端末機器１２１としての携帯端末１２１ａやナビゲーション端末１２１ｂの表示器１２７に表示される画面の一つであるナビゲーション画面１７１を示している。ここでのナビゲーション画面１７１は、端末機器１２１にインストールされた専用のアプリケーションを立ち上げた後に、表示制御手段１２８が表示器１２７を制御して表示されるもので、ゴルフ場内の１つのホールの地図情報を表示する地図情報表示部１７３や、地図情報表示部１７３に表示されるホールのグリーンＧとその周辺を拡大して表示する拡大地図表示部１７４や、拡大地図表示部１７４の中で、その日のホールＨの位置を表示するホール位置表示部１７５などを備えて構成される。
【００４２】
管理サーバ１１１は、端末機器１２１の位置に合せて、図８に示すようなナビゲーション画面１７１を表示させるためのデータを配信する。端末機器１２１には、航法衛星ＳＮからの航法信号を受信してその位置を検出する測位装置１２６が組み込まれており、測位装置１２６からの測位データを所定時間毎に管理サーバ１１１へ送出する。これを受けて、管理サーバ１１１は端末機器１２１に対して、ナビゲーション画面１７１のほぼ全体に地図情報表示部１７３を表示させるために、端末機器１２１の検出位置近傍にあるホールの地図情報を地図情報記憶手段１１５から読み出して配信すると共に、地図情報表示部１７３の一部にホール位置表示部１７５を含む拡大地図表示部１７４を重ね合わせて表示させるために、ホール位置情報記憶手段１１６に記憶されているホールＨの位置情報を読み出して配信し、さらにはこのホールＨの位置情報に関連付けられた拡大した地図情報を地図情報記憶手段１１５から読み出して配信する。これにより、ゴルフ場でプレイをするゴルファーは、端末機器１２１の表示器１２７に表示されるナビゲーション画面１７１を参照して、どのコースのどのホールでプレイを行なっていても、現時点でのホールＨの位置がグリーンＧでどこにあるのかを、拡大地図表示部１７４に表示されるホールＨの位置から、ゴルファーの手を煩わすことなく、実用に耐え得る高い精度で確認することができる。
【００４３】
さらに、地図情報記憶手段１１５に記憶されるホールの地図情報は、標準位置のホールＨ’が予め含まれているため、これがナビゲーション画面１７１で拡大地図表示部１７４と共に地図情報表示部１７３として表示したときに、標準のホールＨ’の位置に対して、現在はホールＨがどの程度違う場所にあるのかを、ゴルファーが端末機器１２１の表示器１２７を介して正確に把握することができる。
【００４４】
なお、図８に示すナビゲーション画面１７１は一例に過ぎず、表示のレイアウトなどは適宜変更して構わない。どのような表示形態であっても、各ホールにおけるホールＨの位置の測位データは、数センチメートル程度の誤差に向上されており、最終的に端末機器１２１の表示器１７２には、ゴルファーの手を煩わすことなく、実用に耐えうる精度でホールＨの位置を正しく表示させることが可能となる。
【００４５】
また図８に示すように、管理サーバ１１１から送られてくる表示用データにより、グリーンＧの幅や奥行きと、ホール位置表示部１７５で示すホールＨの位置からグリーンＧの端部までの最短距離を数字で示す距離表示部１７６を、拡大地図表示部１７４と共に表示させてもよい。これによりゴルファーは、グリーンＧの大きさだけでなく、グリーンＧの中にあるホールＨの位置までの距離を、実用に耐え得る高い精度で確認することができる。図８では、距離表示部１７６の「３１」や「３７」が、グリーンＧの幅と奥行きをヤード数として示し、距離表示部１７６の「８」が、ホールＨの位置からグリーンＧの端部までの最短距離をヤード数として示している。
【００４６】
以上のように、本実施形態のホール位置検出システムは、ゴルフ場のグリーンＧにホールＨを開けるためのホールカッター１に取り付けられる装置本体１１と、装置本体１１に設けられ、準天頂衛星ＳＮからの補強信号と航法衛星ＳＱからの航法信号とを受信して、航法信号により特定された位置を補強信号で補正処理した測位データを出力する受信モジュール２１と、装置本体１１に設けられ、その装置本体１１から外部機器１００への情報送信を可能とする通信部２３と、前記装置本体１１に設けられ、受信モジュール２１からの測位データを取り込んで、ホールＨの位置となる位置情報を通信部２３に送出する制御部２２と、を備えて構成される。
【００４７】
この場合、予め装置本体１１が取り付けられたホールカッター１を使用して、グリーンキーパーがグリーンＧ上の任意の位置で、ピンを立てるカップを設置するためのホールＨを開けると、装置本体１１に設けられた制御部２２が受信モジュール２１からの測位データを取り込んで、ホールＨの位置を自動的に算出し、その位置情報を通信部２３から外部機器１００に送出する。このとき受信モジュール２１は、航法衛星ＳＱからの航法信号に加えて、準天頂衛星ＳＮからの補強信号に対応した受信が可能で、受信モジュール２１の位置を特定する測位データの測位精度を、数センチメートル程度の誤差に大幅に向上させて制御部２２に送出できるので、ゴルファーの手を煩わすことなく、設定したホールＨの位置を実用に耐え得る精度で検出して、外部機器１００である例えば携帯端末１２１ａやナビゲーション端末１２１ｂから、ゴルファーに伝えることが可能となる。
【００４８】
また、本実施形態のホール位置検出システムは、外部機器１００に組み込まれ、装置本体１１の通信部２３からのホールＨの位置情報を取り込んで、外部機器１００の表示部である表示器１２７に、例えばそのホールＨを含むグリーンＧの地図情報に重ね合わせて、ホールＨの位置を表示させる端末制御部としての制御部１２２をさらに備えている。
【００４９】
この場合、ゴルファーが利用する外部機器１００に予め制御部１２２を組み込んでおけば、ホールカッター１で開けられたホールＨの位置を、複数の外部機器１００の表示器１２７に共有して表示させることが可能となる。
【００５０】
以上、本発明の好ましい実施形態について説明したが、本発明は上記実施形態に限定されるものではなく、本発明の趣旨を逸脱しない範囲で種々の変更実施が可能である。例えば装置本体１１が取り付けられるホールカッター１は、どのような形状であっても構わない。
【符号の説明】
【００５１】
１  ホールカッター
１１  装置本体
２１  受信モジュール
２２  制御部
２３  通信部
１００  外部機器
１２２  制御部（端末制御部）
１２７  表示器
Ｇ  グリーン
Ｈ  ホール
ＳＮ  準天頂衛星
ＳＱ  航法衛星
【図１】
2020185117.tif 000003
【図２】
2020185117.tif 000004
【図３】
2020185117.tif 000005
【図４】
2020185117.tif 000006
【図５】
2020185117.tif 000007
【図６】
2020185117.tif 000008
【図７】
2020185117.tif 000009
【図８】
2020185117.tif 000010